(57)【要約】【課題】可視状態の主画像情報に対し特定の色差パターンを変調して目視では認識不可能なパターンとして副情報を重畳することで作成した合成画像情報を記録した記録物から、前記副情報を短時間で簡単に識別可能な画像として取得することができる画像取得方法および画像取得装置を提供する。【解決手段】可視状態の主画像情報に対し特定の色差パターンを変調して目視では認識不可能なパターンとして副情報を重畳することで作成した合成画像情報を記録した記録物から前記副情報を識別可能な画像として取得する場合、前記色差パターンと相関を持ち、かつ、選択位置を特定の方向に拡大あるいは縮小する機能を有する光学素子を前記記録物に記録された合成画像情報の上に重ね合わせることで、この重ね合わせた光学素子を介して前記副情報を識別可能な画像として取得する。【選択図】      図４
2009055089.tif 000002
【特許請求の範囲】
【請求項１】
可視状態の主画像情報に対し特定の色差パターンを変調して目視では認識不可能なパターンとして副情報を重畳することで作成した合成画像情報を記録した記録物から前記副情報を識別可能な画像として取得する画像取得方法であって、
前記色差パターンと相関を持ち、かつ、選択位置を特定の方向に拡大あるいは縮小する機能を有する光学素子を前記記録物に記録された合成画像情報の上に重ね合わせることで、この重ね合わせた光学素子を介して前記副情報を識別可能な画像として取得することを特徴とする画像取得方法。
【請求項２】
前記光学素子は、前記色差パターンと相関を持ち、かつ、前記記録物に記録された合成画像情報の記録解像度よりも小さい光学解像度を有することを特徴とする請求項１記載の画像取得方法。
【請求項３】
前記光学素子は、前記色差パターンを強調およびあるいは減退する色フィルタを有することを特徴とする請求項２記載の画像取得方法。
【請求項４】
可視状態の主画像情報に対し特定の色差パターンを変調して目視では認識不可能なパターンとして副情報を重畳することで作成した合成画像情報を記録した記録物から前記副情報を識別可能な画像として取得する画像取得装置であって、
前記色差パターンと相関を持ち、かつ、選択位置を特定の方向に拡大あるいは縮小する機能を有し、前記記録物に記録された合成画像情報の上に重ね合わせる光学素子と、
この光学素子を介して前記合成画像情報を撮像することで、前記副情報を識別可能な画像として取得する撮像手段と、
を具備したことを特徴とする画像取得装置。
【請求項５】
前記光学素子は、前記色差パターンと相関を持ち、かつ、前記記録物に記録された合成画像情報の記録解像度よりも小さい光学解像度Ｂ（ｄｐｉ）を有し、
前記撮像手段は、ｋ・Ｂ（ｄｐｉ、ｋ＞１、ｋ：整数）を満たす解像度を有することを特徴とする請求項４記載の画像取得装置。
【請求項６】
前記光学素子および前記撮像手段の少なくともいずれか一方は、前記色差パターンを強調およびあるいは減退する色フィルタを有することを特徴とする請求項５記載の画像取得装置。
【請求項７】
可視状態の主画像情報に対し特定の色差パターンを変調して目視では認識不可能なパターンとして副情報を重畳することで作成した合成画像情報を記録した記録物から前記副情報を識別可能な画像として取得する画像取得方法であって、
前記記録物に記録された合成画像情報を撮像手段により撮像して入力し、この入力された画像に対し前記色差パターンと相関を持つ特定位置の画像データのみをサンプリングすることで前記副情報を識別可能な画像として取得することを特徴とする画像取得方法。
【請求項８】
前記撮像手段は、前記記録物に記録された合成画像情報の記録解像度をＡ（ｄｐｉ）としたとき、ｋ・Ａ（ｄｐｉ、ｋ＞１、ｋ：整数）を満たす光学解像度で前記記録物に記録された合成画像情報を撮像して入力し、
前記サンプリングは、前記入力された画像に対し前記色差パターンと相関を持ち、かつ、前記記録解像度Ａ（ｄｐｉ）よりも小さい解像度に相当する画像データのみに対して行なうことを特徴とする請求項７記載の画像取得方法。
【請求項９】
前記撮像手段は、前記色差パターンを強調およびあるいは減退する色フィルタを有することを特徴とする請求項８記載の画像取得方法。
【請求項１０】
可視状態の主画像情報に対し特定の色差パターンを変調して目視では認識不可能なパターンとして副情報を重畳することで作成した合成画像情報を記録した記録物から前記副情報を識別可能な画像として取得する画像取得装置であって、
前記記録物に記録された合成画像情報を撮像して入力する撮像手段と、
この撮像手段により入力された画像に対し前記色差パターンと相関を持つ特定位置の画像データのみをサンプリングすることで前記副情報を識別可能な画像として取得する画像処理手段と、
を具備したことを特徴とする画像取得装置。
【請求項１１】
前記撮像手段は、前記記録物に記録された合成画像情報の記録解像度をＡ（ｄｐｉ）としたとき、ｋ・Ａ（ｄｐｉ、ｋ＞１、ｋ：整数）を満たす光学解像度で前記記録物に記録された合成画像情報を撮像して入力し、
前記画像処理手段は、前記撮像手段により入力された画像に対し前記色差パターンと相関を持ち、かつ、前記記録解像度Ａ（ｄｐｉ）よりも小さい解像度に相当する画像データのみをサンプリングすることで前記副情報を識別可能な画像として取得することを特徴とする請求項１０記載の画像取得装置。
【請求項１２】
前記撮像手段は、前記色差パターンを強調およびあるいは減退する色フィルタを有することを特徴とする請求項１１記載の画像取得装置。
【発明の詳細な説明】
【技術分野】
【０００１】
本発明は、可視状態の主画像情報（たとえば、人物の顔画像など）に対し特定の色差パターンを変調して目視では認識不可能なパターンとして副情報（たとえば、セキュリティ情報などなど）を重畳することで作成した合成画像情報を記録した記録物から前記副情報を識別可能な画像として取得する画像取得方法および画像取得装置に関する。
【背景技術】
【０００２】
近年、情報の電子化やインターネットの普及等に伴って、画像の偽造や変造防止のために電子透かし、電子署名などの技術が重要視されるようになってきた。特に、主画像情報に付加的な副情報（副画像情報）を人間の肉眼では判読不可能な状態で埋め込み記録する電子透かし技術は、たとえば、顔画像が印刷（記録）されたＩＤカードなどの個人認証媒体や著作権情報を埋め込んだ写真に対する不正コピー、偽造、改竄対策として極めて有効である。
【０００３】
たとえば、疑似階調表現されたデジタル画像に対し所定の情報を重畳する方法が開示されている（たとえば、非特許文献１参照）。この技術によれば、真偽判定のために埋め込まれた副情報を取得するためには、高精細の読取手段を用いて画像情報を読取った後、画像処理により副情報の復元処理を行なう必要があり、副情報の確認に時間がかかるという問題がある。
【０００４】
また、簡易的な確認方法として、可視状態の主画像情報に対し特定の色差パターンを変調して目視では認識不可能なパターンとして副情報を重畳することで作成した合成画像情報を記録した記録物に、色差変調基本パターンを記録した光学マスクを被せて確認する方法が開示されている（たとえば、特許文献１参照）。
【０００５】
この技術によれば、光学マスクに記録されたパターンを記録物上に重ね合わせることで、副情報の入っている部分、あるいは、副情報の入っている部分以外の色差を変調することにより副情報の可視化を行なう。しかし、副情報の埋め込み精度と光学マスクの精度が一致し、かつ、光学マスクの正確な位置合わせが必要であるという問題があり、さらに、変調を行なうため画像情報の半分を捨てることになるため、副情報のコントラストがでにくいという問題もある。  
そこで、簡易的な方法で時間をかけず、コントラストのよい副情報の取得方法が要望されている。
【非特許文献１】「カラー濃度パターンによる画像へのテキストデータの合成符号化法」、電子学会誌、１７−４（１９８８）、ｐｐ１９４〜１９８
【特許文献１】特開平９−２４８９３５号公報
【発明の開示】
【発明が解決しようとする課題】
【０００６】
そこで、本発明は、可視状態の主画像情報に対し特定の色差パターンを変調して目視では認識不可能なパターンとして副情報を重畳することで作成した合成画像情報を記録した記録物から、前記副情報を短時間で簡単に識別可能な画像として取得することができる画像取得方法および画像取得装置を提供することを目的とする。
【課題を解決するための手段】
【０００７】
本発明の画像取得方法は、可視状態の主画像情報に対し特定の色差パターンを変調して目視では認識不可能なパターンとして副情報を重畳することで作成した合成画像情報を記録した記録物から前記副情報を識別可能な画像として取得する画像取得方法であって、前記色差パターンと相関を持ち、かつ、選択位置を特定の方向に拡大あるいは縮小する機能を有する光学素子を前記記録物に記録された合成画像情報の上に重ね合わせることで、この重ね合わせた光学素子を介して前記副情報を識別可能な画像として取得することを特徴とする。
【０００８】
また、本発明の画像取得装置は、可視状態の主画像情報に対し特定の色差パターンを変調して目視では認識不可能なパターンとして副情報を重畳することで作成した合成画像情報を記録した記録物から前記副情報を識別可能な画像として取得する画像取得装置であって、前記色差パターンと相関を持ち、かつ、選択位置を特定の方向に拡大あるいは縮小する機能を有し、前記記録物に記録された合成画像情報の上に重ね合わせる光学素子と、この光学素子を介して前記合成画像情報を撮像することで、前記副情報を識別可能な画像として取得する撮像手段とを具備している。
【０００９】
また、本発明の画像取得方法は、可視状態の主画像情報に対し特定の色差パターンを変調して目視では認識不可能なパターンとして副情報を重畳することで作成した合成画像情報を記録した記録物から前記副情報を識別可能な画像として取得する画像取得方法であって、前記記録物に記録された合成画像情報を撮像手段により撮像して入力し、この入力された画像に対し前記色差パターンと相関を持つ特定位置の画像データのみをサンプリングすることで前記副情報を識別可能な画像として取得することを特徴とする。
【００１０】
また、本発明の画像取得装置は、可視状態の主画像情報に対し特定の色差パターンを変調して目視では認識不可能なパターンとして副情報を重畳することで作成した合成画像情報を記録した記録物から前記副情報を識別可能な画像として取得する画像取得装置であって、前記記録物に記録された合成画像情報を撮像して入力する撮像手段と、この撮像手段により入力された画像に対し前記色差パターンと相関を持つ特定位置の画像データのみをサンプリングすることで前記副情報を識別可能な画像として取得する画像処理手段とを具備している。
【発明の効果】
【００１１】
本発明によれば、可視状態の主画像情報に対し特定の色差パターンを変調して目視では認識不可能なパターンとして副情報を重畳することで作成した合成画像情報を記録した記録物から、前記副情報を短時間で簡単に識別可能な画像として取得することができる画像取得方法および画像取得装置を提供できる。
【発明を実施するための最良の形態】
【００１２】
以下、本発明の実施の形態について図面を参照して説明する。  
なお、以下の説明では、可視状態の主画像情報（たとえば、人物の顔画像など）に対し特定の色差パターンを変調して目視では認識不可能なパターンとして副情報（たとえば、セキュリティ情報などなど）を重畳することで作成した合成画像情報を記録した記録物から前記副情報を識別可能な画像として取得する画像取得方法および画像取得装置について説明する。
【００１３】
まず、第１の実施の形態について説明する。  
可視状態の主画像情報に対し色差パターンを変調して目視では認識不可能なパターンとして副情報を重畳するには、人間の弁別限界を利用する。すなわち、隣接する画素の色を補色関係になるように少し動かし、マクロから見たときの全体の印象を変えないようにすることで実現できる。
【００１４】
具体的には、後で説明する図１（ｂ）に示すような色差パターンで構成されており、たとえば、レッド（Ｒ）が多い画素と、レッドの補色であるシアン（Ｃ）が多い画素が隣接して並ぶ構造にて副情報を埋め込む。解像度と補色との関係が一定の条件では、人間は弁別できないため、本方法で埋め込みを行なった副情報は識別できない。逆に考えると、解像度、あるいは、補色の関係、あるいは、その両方を変化させることができれば、副情報を識別できるようになる。
【００１５】
図１に、主画像情報としての顔画像に対し色差パターンを変調して目視では確認できないパターンを副情報として重畳した合成画像情報をＩＤカードなどの個人認証媒体に印刷した一例を示す。図１（ａ）は、ＩＤカードなどの個人認証媒体（記録物）１１と、その上に印刷（記録）された副情報を埋め込んだ顔画像（合成画像情報）１２の一例を示している。図１（ａ）における顔画像１２の頬の部分１３を拡大した場合、色差変調パターン（埋め込み情報部）は図１（ｂ）に示すようになり、レッドが多い画素（斜線部分）Ｒと、レッドの補色であるシアンが多い画素（非斜線部分）Ｃが隣接して並ぶ構造となっている。
【００１６】
図１（ｂ）において、色差変調パターンを構成する一番小さい四角形が記録解像度を示しており、説明の都合上、四角形１つを画素と呼ぶこととする。この例では、横４画素、縦２画素（あるいは、横２画素、縦４画素）が規則的な構造（色差基本構造）を有しており、図１（ｂ）では、斜線を付した画素Ｒと斜線を付してない画素Ｃがこれに相当する。さらに、色差基本構造を横に２個、縦に４個（あるいは、縦に２個、横に４個）連ねた、８×８の画素群を１ブロックとして、このブロック単位で副情報を埋め込む。図１（ｂ）から明らかなように、記録解像度よりも小さい解像度を有する色差基本構造、および、ブロック構造があることがわかる。なお、色差変調パターンの詳細については、たとえば、特開２００５−１８４６０３号広報に記載されているので、それを参照されたい。
【００１７】
図２は、選択位置のみを特定の方向に拡大縮小する機能を有する光学素子２１として、たとえば、図面に対し左右方向のみを拡大し、上下方向は等倍である断面が楕円状の柱状の光学素子（たとえば、レンチキュラーレンズ）２１を複数本（この例では３本）並設したものを示している。
【００１８】
この光学素子２１は、図３（ａ）に示すように、ＡＢＣという文字が描かれた媒体３１の上に、文字（ＡＢＣ）にちょうど重なるように光学素子２１を重ね合わせ、媒体３１を図面に対し垂直方向から目視した場合、媒体３１に描かれている特定の部位の横方向のみを拡大する特性を有する。図３の例の場合、上記したように光学素子２１を重ね合わせることで、媒体３１上の文字「Ｂ」の部位が横方向に拡大される例を示している。
【００１９】
以下、図４を参照して、個人認証媒体１１に印刷（記録）された、副情報を埋め込んだ顔画像１２の上に、図２に示した光学素子２１を重ね合わせた場合について説明する。図４（ａ）は副情報を埋め込んだ顔画像１２、図４（ｂ）は図４（ａ）における顔画像１２の頬の部分１３を拡大した埋め込み情報部拡大画像、図４（ｃ）は用いた光学素子２１、図４（ｄ）は光学素子２１を重ね合わせることで得られた副情報の抽出結果画像、をそれぞれ示している。
【００２０】
図４の例では、１本が図１（ｂ）で示したブロックの半分（４画素）の周期性を持った光学素子２１を複数本（この例では６本）並設した場合を示している。ここで、光学素子２１は、中心部の２画素を横方向のみに拡大し、縦方向の拡大はないものとする。前述したブロック単位で考えた場合、左右の４ブロック（ａ部、ｂ部）は色差基本構造が変わらないが、中央部の縦２ブロック（ｃ部）は基本構造が崩れている。このため、副情報を見えなくしている条件のうち、解像度の条件が崩れ、副情報（ｃ部）を識別できるようになる。
【００２１】
このように、第１の実施の形態は、可視状態の主画像情報に対し特定の色差パターンを変調して目視では認識不可能なパターンとして副情報を重畳することで作成した合成画像情報１２を記録した記録物１１から前記副情報を識別可能な画像として取得する場合、前記色差パターンと相関を持ち、かつ、選択位置を特定の方向に拡大あるいは縮小する機能を有する光学素子２１を前記記録物１１に記録された合成画像情報１２の上に重ね合わせることで、この重ね合わせた光学素子２１を介して前記副情報を識別可能な画像として取得（復元）することができる。
【００２２】
この場合、前記光学素子２１は、前記記録物１１に記録された合成画像情報１２の記録解像度をＡ（ｄｐｉ）としたとき、前記色差パターンと相関を持ち、かつ、記録解像度Ａよりも小さい光学解像度Ｂ（ｄｐｉ）を有するものとする。
【００２３】
なお、上記説明では、光学素子２１を介して取得した画像（副情報）を目視確認で行なう場合について述べたが、たとえば、副情報を埋め込んだ顔画像１２の上に光学素子２１を重ね合わせ、当該光学素子２１を介して得られる画像をスキャナなどの撮像手段で撮像することで（また、得られる画像を必要に応じて表示出力することで）、副情報の識別に耐えうる画像を簡単に取得することができる。すなわち、図４（ｄ）に示すような画像（副情報）を取得することが可能である。
【００２４】
この場合、前記光学素子２１は、前記記録物１１に記録された合成画像情報１２の記録解像度をＡ（ｄｐｉ）としたとき、前記色差パターンと相関を持ち、かつ、記録解像度Ａよりも小さい光学解像度Ｂ（ｄｐｉ）を有し、前記撮像手段は、ｋ・Ｂ（ｄｐｉ、ｋ＞１、ｋ：整数）を満たす解像度を有するものとする。
【００２５】
一般に、上記のような画素レベルの色差変調パターンで埋め込まれた副画像を取得（復元）するためには、画像の記録解像度の数倍の光学解像度で画像を取得して、解析を行なうことで副画像を抽出する必要がある。解析は、前述の色差基本構造、ブロックを抽出する周波数解析を電子的に行なうことが基本であるが、画像を撮像する撮像解像度が細かいため、取得する画像サイズが大きいことに加え、周波数解析に時間がかかるため、副情報を直ぐに確認することはできない。
【００２６】
これに対し本実施の形態では、変調パターンの１部を選択的に取得することで副画像の可視化を行なうが、１部を選択する機能を光学素子が担う。このため、撮像手段自体は光学素子の解像度の数倍程度あればよく、画像取得の時間削減ができる。また、取得画像に対し副画像の抽出処理を行なう必要もないため、確認までの時間を削減することが可能となる。
【００２７】
また、光学素子２１に機能を追加することで、取得画像の副情報のコントラストを上げることが可能となる。すなわち、補色関係を崩すような光学的フィルタ、具体的には、色差変調の方向がレッド、シアン系の場合、どちらか一方を透過するような光学的な周波数フィルタを追加することで、副情報のコントラストを上げることが可能となる。コントラストの改善により、副情報の識別までの時間を削減することが可能となる。
【００２８】
次に、第２の実施の形態について説明する。  
前述した第１の実施の形態では、選択的な画像の取得および拡大縮小を光学素子２１を用いて行なうことで、副情報の識別に耐えうる画像を取得していた。すなわち、記録されている情報の特定の位置のみを抽出して適当な拡大縮小を与えて表示した場合、副情報を取得できることになる。第２の実施の形態では、この操作を電子的に行なうものである。
【００２９】
図５は、第２の実施の形態に係る画像取得装置の構成を概略的に示している。この画像取得装置は、記録物（たとえば、図１に示したＩＤカードなどの個人認証媒体１１）を撮像する撮像手段としてのカメラ部５１、カメラ部５１がラインセンサで構成される場合に２次元画像を得るために必要な移動機構５２、撮像時に記録物を照明する光源５３、取得した画像や画像取得条件情報などを記憶する記憶部５４、取得した画像に対し画像処理を行なう画像処理部５５、処理結果の表示などを行なう表示部５６、外部とのインタフェイス部５７、および、これら全体の制御を司る制御部５８を有して構成される。
【００３０】
図６は、カメラ部５１の構成を概略的に示している。カメラ部５１は、光を電気に変換するための光電変換素子（たとえば、ラインセンサ）６１、光電変換素子６１の出力信号を受けアナログ信号の波形整形等を行なう前処理部６２、前処理部６２で波形整形されたアナログ信号をデジタルデータに変換するＡ／Ｄ変換部６３、Ａ／Ｄ変換部６３でデジタル化されたデータを一時保存しておくためのバッファ６４、バッファ６４内のデータを外部に出力するためのインタフェイス部６５、これらの各種動作用信号を生成する信号生成部６６、および、これら全体の制御を行なうとともに取得した画像に対する画像処理を行なう制御部６７を有して構成される。
【００３１】
このような構成において全体的な画像取得動作について説明する。画像取得動作が開始されると、制御部５８は、記憶部５４に記録されている画像取得条件情報にしたがってカメラ部５１、移動機構５２および光源５３をそれぞれ動作させ、画像取得を開始する。カメラ部５１では、信号生成部６６からの信号にしたがい、記録物上の結像情報を光電変換素子６１による光電変換、前処置部６２での信号整形、Ａ／Ｄ変換部６３でのデジタル化を経て、デジタルデータがバッファ６４に蓄積される。バッファ６４に蓄積された画像データは、インタフェイス部６５を介して制御部５８により読出されて記憶部５４に保存され、必要に応じて画像処理部５５で処理され、表示部５６で表示される。
【００３２】
次に、第１の実施の形態で説明した光学素子２１を用いた副情報の画像取得と同様の画像を取得できることを、図７を用いて説明する。図７は、記録物の記録解像度の数倍程度の解像度で取得した画像に対しサンプリングする位置を示している。色差パターン７１となっている部分は記録物を記録解像度の数倍で撮像した画像データを示している。横方向の破線７２および縦方向の破線７３が画像データ群に対しサンプリングする位置を示していて、破線７２，７３が交差した部分のデータをサンプリングすることで、図４（ｄ）で示したような副情報を確認できる画像が取得できる。
【００３３】
ここに、取得した画像データからのサンプリングは、記録物上の全体の画像を取得した後、表示部５６で表示する前に行なうか、あるいは、カメラ部５１内で行なうことが可能である。カメラ部５１と制御部５８との転送データ量を少なくすることができるという点では、後者のカメラ部５１内で行なう方が有利で、時間削減の効果を見込める。
【００３４】
カメラ部５１内でサンプリング処理を行なう場合、制御部６７が、バッファ６４に格納された画像データに対し上記したようにサンプリング処理を行なうことで副情報を取得し、バッファ６４に蓄積する。バッファ６４に蓄積された副情報は、インタフェイス部６５を介して制御部５８により読出されて記憶部５４に保存され、必要に応じて表示部５６で表示される。
【００３５】
なお、カメラ部５１の外部でサンプリング処理を行なう場合、画像処理部５５で上記同様なサンプリング処理を行なうことで副情報を取得すればよい。
【００３６】
このように、第２の実施の形態は、可視状態の主画像情報に対し特定の色差パターンを変調して目視では認識不可能なパターンとして副情報を重畳することで作成した合成画像情報１２を記録した記録物１１から前記副情報を識別可能な画像として取得する場合、前記記録物１１に記録された合成画像情報１２をカメラ部５１により撮像して入力し、この入力された画像に対し前記色差パターンと相関を持つ特定位置の画像データのみをサンプリングすることで、電子的な方法でも第１の実施の形態と同様に前記副情報を識別可能な画像として取得（復元）することができる。
【００３７】
この場合、カメラ部５１は、前記記録物１１に記録された合成画像情報１２の記録解像度をＡ（ｄｐｉ）としたとき、ｋ・Ａ（ｄｐｉ、ｋ＞１、ｋ：整数）を満たす光学解像度で前記記録物１１に記録された合成画像情報１２を撮像して入力し、制御部６７が行なうサンプリング処理は、前記入力された画像に対し前記色差パターンと相関を持ち、かつ、記録解像度Ａ（ｄｐｉ）よりも小さい解像度Ｂ（ｄｐｉ）に相当する画像データのみに対して行なうものとする。
【００３８】
また、上述した第２の実施の形態では、カメラ部５１の撮像解像度は記録解像度と同等かそれ以上であるが、特定箇所のサンプリング処理のみの簡単な画像処理で副情報を目視に耐えうる画像として取得することが可能となる。さらに、光学素子などの物理的構成がないため、復元のためのキー情報を知らせずに副情報の復元画像を得ることができる利点もある。
【００３９】
以上説明したように、第１、第２の実施の形態によれば、副情報を簡単な操作で目視に耐えうる画像として取得することができる。  
また、第１の実施の形態によれば、選択的な場所を特定の方向に拡大縮小する光学素子を用いることで、記録解像度よりも小さな解像度で撮像することが可能となるため、時間削減が見込める。  
また、第２の実施の形態によれば、選択的な場所を特定の方向に拡大縮小する処理を画像処理として行なっているので、撮像解像度を小さくすることはできないが、選択・抽出という簡単な画像処理のみで副情報を目視に耐えうる画像として取得することができる。さらに、復元情報を含む光学素子を見せる必要がなく、セキュリティ性の向上が図れる。
【００４０】
なお、前記実施の形態では、特定の方向として左右上下を基本としていたが、埋め込み変調パターンが斜めに入っていた場合、その方向に対し処理を行なうことで同じ効果を得ることができる。
【００４１】
また、前記説明では省いたが、光学素子あるいはカメラ部に対し色差変調パターンを強調およびあるいは減退させるような色フィルタを設けることにより、副情報のコントラストを高めることが可能となる。
【図面の簡単な説明】
【００４２】
【図１】本発明の第１の実施の形態に係る記録物と埋め込み情報の一例を示す模式図。
【図２】光学素子の一例を模式的に示すもので、（ａ）は正面図、（ｂ）は側面図。
【図３】光学素子の機能を説明する模式図。
【図４】光学素子により副情報を識別可能な画像として取得する方法を説明する模式図。
【図５】本発明の第２の実施の形態に係る画像取得装置の構成を概略的に示すブロック図。
【図６】カメラ部の構成を概略的に示すブロック図。
【図７】記録物から取得した画像に対するサンプリング位置を説明する模式図。
【符号の説明】
【００４３】
１１…個人認証媒体（記録物）、１２…顔画像（合成画像情報）、１３…拡大部分、２１…光学素子、５１…カメラ部（撮像手段）、５３…光源、５４…記憶部、５５…画像処理部、５６…表示部、５８…制御部。
【図１】
2009055089.tif 000003
【図２】
2009055089.tif 000004
【図３】
2009055089.tif 000005
【図４】
2009055089.tif 000006
【図５】
2009055089.tif 000007
【図６】
2009055089.tif 000008
【図７】
2009055089.tif 000009